【手続補正書】
【提出日】平成22年10月16日(2010.10.16)
【手続補正１】
【補正対象書類名】特許請求の範囲
【補正対象項目名】全文
【補正方法】変更
【補正の内容】
【特許請求の範囲】
【請求項１】
エンドユーザーのエネルギーコストを削減できる冷房システムであって、
圧縮空気の形で貯蔵可能な圧縮空気エネルギー貯蔵システムで、主圧縮機、タンク、及び圧縮空気放出用の膨張機を含み、これらにより膨張機が放出するエネルギーを用いて発電機を作動して発電、及び／又は冷却空気を発生できるシステム、
冷却空気を用いて冷却室内の液体を冷却するように適合された冷却室、
冷却液体を貯蔵できる分離タンクを含む熱エネルギー貯蔵ユニット、
熱エネルギー貯蔵システムと連通する空調システム、及び圧縮空気エネルギー貯蔵システムを含み、該冷却室からの該冷却液体を該分離タンクに循環し、該分離タンクからの該冷却液体を取り出し空調システムの冷却のために使用できる冷房システム。
【手続補正２】
【補正対象書類名】明細書
【補正対象項目名】０１２４
【補正方法】変更
【補正の内容】
【０１２４】
上記の運転のいずれでも、他のエネルギー源３ｂ、３ｃ又は３ｄのいずれも、例えば非ピーク時間に使用でき、エネルギーが低原価率の時間に貯蔵し、高原価率の時間に使用できる。又凍結温度を用いて水を凍結し純水を不純物から分離するいずれの淡水化システムで、圧縮空気は使用しないが他の凍結技術、化学薬品などを使用するものも本発明に組み込むことができ、淡水化システムが作り出す排気温度を用いて水を冷却し、続いて熱エネルギー貯蔵システムに分配できる。
本発明は以下の実態態様を含む。
実施態様１：
エンドユーザーのエネルギーコストを削減できる冷房システムであって、
圧縮空気の形で貯蔵可能な圧縮空気エネルギー貯蔵システムで、主圧縮機、タンク、及び圧縮空気放出用の膨張機を含み、これらにより膨張機が放出するエネルギーを用いて発電機を作動して発電、及び／又は冷却空気を発生できるシステム、
冷却空気を用いて冷却室内の液体を冷却するように適合された冷却室、
冷却液体を貯蔵できる分離タンクを含む熱エネルギー貯蔵ユニット、
熱エネルギー貯蔵システムと連通する空調システム、及び圧縮空気エネルギー貯蔵システムを含み、該冷却室からの該冷却液体を該分離タンクに循環し、該分離タンクからの該冷却液体を取り出し空調システムの冷却のために使用できる冷房システム。
実施態様２：
空気を該圧縮空気エネルギー貯蔵システム内に圧縮するエネルギーが以下のエネルギー源の少なくとも１つから得られる実施態様１の冷房システム：
１）一つ以上の風車からの風力発電
２）電力網
３）地熱発電、及び
４）原子力発電。
実施態様３：
該システムが該主圧縮機の駆動に使用できる風エネルギーを発生する少なくとも１つの風車を含み、空気を該圧縮空気エネルギー貯蔵システムに圧縮できる実施態様１の冷房システム。
実施態様４：
少なくとも１つの該風車と協力する第二発電機が備わり、該第二発電機が作り出す電気の全部又は一部を以下の少なくとも一つに送電できる実施態様３の冷房システム：
１）電気の即時使用のためにユーザー又は電力網に導く電力線、
２）該圧縮空気エネルギー貯蔵システム、
３）補助圧縮機システム。
実施態様５：
該補助圧縮機システムが、補助圧縮機、ターボ圧縮機、補助ターボ膨張機、及び少なくとも１つの熱交換機を含み、該補助ターボ膨張機を用いて該冷却室に分配できる冷却空気を発生する実施態様４の冷房システム。
実施態様６：
該タンク内の圧縮空気の少なくとも一部を、１）補助圧縮機システムに分配し、２）空調システムの冷却空気を直接提供するのに使用し、及び／又は３）空気圧機器を作動するのに使用できる実施態様１の冷房システム。
実施態様７：
該冷却室が液体を充満する混合室を含み、該冷却空気を気泡の形で混合室に導入でき、熱移動が生じることにより該混合室の液体を冷却し、冷却液体を作り出せる実施態様１の冷房システム。
実施態様８：
該混合室の該冷却液体は、冷却液体が空調システムの冷却を助けるように分離タンク及び空調システムと連通し、該冷却液体が該空調システムから該混合室に還流できるように閉ループシステムを保つ実施態様７の冷房システム。
実施態様９：
該冷却室が海水淡水化用の晶析室を含み、該晶析室を適用して海水を霧又は噴霧物の形で該晶析室に導入し、該冷却空気を該晶析室に導入して霧又は噴霧物を冷却させて純水からなる氷粒子を形成し、該晶析室により塩及び他の不純物を海水から除去する結果、冷却淡水を作り出せる実施態様１の冷房システム。
実施態様１０：
該晶析室に形成した該氷粒子が保留タンクで融解でき、追加の淡水を用いて氷粒子を融解して冷却淡水を作り出せる実施態様９の冷房システム。
実施態様１１：
該晶析室の該冷却淡水は、冷却淡水が空調システムの冷却を助けるように該混合室の冷却液体が該分離タンクと該空調システムと連通し、淡水を後でシステムから取り出し新鮮な飲料水として利用できる実施態様１０の冷房システム。
実施態様１２：
該システムに用いるエネルギーはエネルギー料金が比較的低い需要の非ピーク時間に得、エネルギー料金が比較的高い需要のピーク時間に該分離タンクの該冷却液体を用いて空調システムが運転できる実施態様２の冷房システム。
実施態様１３：
該分離タンクが、上側注入口と上側排出口を有する上部と、下側注入口と下側排出口を有する下部を有し、該冷却室の冷却液体が該下側注入口を通して該分離タンク下部に循環でき、該分離タンクの該冷却液体が、該下側排出口を通して該分離タンク下部から取り出して空調システムを冷却でき、該空調システムにより熱交換後、該空調システムからの冷却液体は該上側注入口を通して該分離タンク上部に循環させ、該分離タンク上部からの該冷却液体は該上側排出口を通して該冷却室に還流できる実施態様１の冷房システム。
実施態様１４：
空気を該圧縮空気エネルギー貯蔵システムに圧縮するのに用いるエネルギーは、エネルギー料金が比較的低い需要の非ピーク時間に使用でき、エネルギー料金が比較的高い需要のピーク時間に該分離タンクからの冷却液体を用いて該空調システムを運転できる実施態様１の冷房システム。
実施態様１５：
最初に用いる液体は海水であり、該冷却室が海水から塩及び／又は他の不純物を除去するための晶析室を有する淡水化システムを含み、該淡水化システムが作り出す精製水を該晶析室から該分離タンクに循環し、該空調システムを冷却するために使用できる実施態様１の冷房システム。
実施態様１６：
該淡水化システムが該膨張機からの冷却空気を該晶析室に導入でき、海水を冷却して精製水でできた氷粒子を形成し、海水中の塩や他の不純物と分離できる実施態様１５の冷房システム。
実施態様１７：
エンドユーザーのエネルギーコストを削減できる冷房システムであって、
水から塩及び／又は他の不純物を除去するための淡水化システムで、この淡水化システムが水中の塩や他の不純物と分離された精製水でできた氷粒子を形成するシステム、
氷粒子由来の冷却精製水を貯蔵するための貯蔵タンク、及び
淡水化システムと連通する空調システムで、該貯蔵タンクから冷却水が取り出されて空調システムを冷却するために使用でき、冷却水は空調システム１５を通過する結果、循環空気を冷却できるシステム
を含む冷房システム。
実施態様１８：
該貯蔵タンクが水で充満される熱エネルギー貯蔵分離タンクを含み、該分離タンクが上部と下部を有する実施態様１７の冷房システム。
実施態様１９：
該淡水化システムからの冷却精製水を該分離タンク下部に循環し、下部から取り出して空調システムを冷却することができ、該空調システムで熱交換後、該空調システムからの水を循環して新鮮な飲料水として分配できる実施態様１８の冷房システム。
実施態様２０：
水精製に用いるエネルギーは、エネルギー料金が比較的低い需要の非ピーク時間に使用でき、エネルギー料金が比較的高い需要のピーク時間に該貯蔵タンクからの冷却精製水を用いて空調システムを運転できる実施態様１７の冷房システム。
実施態様２１：
該淡水化システムが、空気を圧縮し膨張機で放出できる圧縮空気エネルギーシステムを含み、これにより該膨張機が圧縮空気を放出することで発生する冷却排気を用いて淡水化システムの水を冷却できる実施態様１７の冷房システム。